(57)【要約】【課題】定期券料金の一括購入の手続が容易にでき、各利用者が定期券を容易に購入可能な、定期券発行システム及び定期券発行機を提供すること。【解決手段】一例の定期券発行システムは、複数の定期券の定期券ＩＤを記憶するファイルを有する定期券管理サーバと、この定期券管理サーバに接続される定期券発行機とを備え、前記定期券発行機は、この定期券発行機により定期券の購入を申し込まれたとき、この購入を申し込まれた定期券の定期券Ｉが前記ファイルに記憶されているか否かを問い合わせるＩＤ問合せ手段と、このＩＤ問合せ手段に対して前記申し込まれた定期券の定期券ＩＤが前記ファイルに記憶されていることが確認されたとき、この定期券の定期券情報を求めることなく定期券を発行する定期券発行手段と、を有する。【選択図】図１
2012247917.tif 000002
【特許請求の範囲】
【請求項１】
複数の定期券の定期券ＩＤを記憶するファイルを有する定期券管理サーバと、
この定期券管理サーバに接続される定期券発行機と、を備え、
前記定期券発行機は、
この定期券発行機により定期券の購入を申し込まれたとき、この購入を申し込まれた定期券の定期券ＩＤが前記ファイルに記憶されているか否かを問い合わせるＩＤ問合せ手段と、
このＩＤ問合せ手段に対して前記申し込まれた定期券の定期券ＩＤが前記ファイルに記憶されていることが確認されたとき、この定期券の定期券料金を求めることなく定期券を発行する定期券発行手段と、
を有することを特徴とする定期券発行システム。
【請求項２】
前もって複数の定期券の情報と、料金の支払いがなされ、その対象となる交通機関の定期券の定期券ＩＤを記憶する定期券情報ファイルを有する交通定期券管理サーバと、
この交通定期券管理サーバにネットワークを介して接続され、定期券を発行する定期券発行機を備え、
前記定期券発行機は、
定期券の購入を申し込まれたとき、この購入を申し込まれた定期券の定期券ＩＤが前記定期券情報ファイルに記憶されているか否かを問い合わせるＩＤ問合せ手段と、
このＩＤ問合せ手段に対して前記申し込まれた定期券の定期券ＩＤが前記定期券情報ファイルに記憶されていることが確認されたとき、この定期券の定期券料金を求めることなく定期券を発行する定期券発行手段と、を有する
ことを特徴とする定期券発行システム。
【請求項３】
前記前もって合計金額が支払われる複数の定期券は、新規又は継続定期券であることを特徴とする請求項１又は２記載の定期券発行システム。
【請求項４】
前記定期券発行機は更に一括ボタンを備え、前記定期券ＩＤの交通定期券管理サーバへの問い合わせは、前記一括ボタンが押された場合に行うことを特徴とする請求項３記載の定期券発行システム。
【請求項５】
前記ネットワークに接続され、前記定期券情報ファイルに、既に定期券情報の登録と定期券料金が支払われている定期券の定期券ＩＤを書き込む定期券処理コンピュータを更に有することを特徴とする請求項３又は４記載の定期券発行システム。
【請求項６】
定期券の購入を申し込まれたとき、この定期券の定期券ＩＤを、複数の定期券の定期券ＩＤを記憶する定期券情報ファイルに記憶されているか否かを問い合わせるＩＤ問合せ手段と、
このＩＤ問合せ手段に対して前記申し込まれた定期券の定期券ＩＤが前記定期券情報ファイルに記憶されていることが確認されたとき、この定期券の定期券料金を求めることなく定期券を発行する定期券発行手段と、
を有することを特徴とする定期券発行機。
【発明の詳細な説明】
【技術分野】
【０００１】
本発明の実施形態は、定期券発行システム及び定期券発行機に関する。
【背景技術】
【０００２】
従来、電車などの定期券はいわゆる使い捨てであり、同じ乗降駅の間の定期券を継続する場合には各利用者から回収して、その代わりに新しい定期券を渡す処理が行われていた。したがって、定期券を利用する者を雇用する会社（ここでは定期券利用者雇用会社という）などが一括して各利用者に給付するには、定期券発行を管轄する交通機関を運営している会社（ここでは交通機関運営会社という）に前もって、合計額を支払い新しい定期券を一括して受け取り、各利用者から個々に古い定期券を受け取る代わりに新しい定期券を渡せばよかった。例えば、複数の定期券を一括して発行する定期券発行システムが知られている。
【０００３】
ところが、最近は、定期券を継続する場合にも記憶内容を変えるだけで、同じ定期券が用いられる。したがって、各個人が持っている定期券を集めることができず、多くの会社では、定期券代に相当する現金を給付して、定期券を個別に買ってもらう方式を取らざるを得なかった。
【０００４】
しかし、このようにすると、利用者を雇用する会社としては、個別に利用者に現金などを支払う必要があり、また利用者は会社から給付された現金などを定期券発行機に入れて定期券を購入する必要があり、非常に煩瑣な手続が必要であった。
【先行技術文献】
【特許文献】
【０００５】
【特許文献１】特開平６−３４８９２２号公報
【発明の概要】
【発明が解決しようとする課題】
【０００６】
そこで本発明は、このように定期券料金の一括発行の手続が容易にでき、各利用者が定期券を容易に購入可能な、定期券発行システム及び定期券発行機を提供する。
【課題を解決するための手段】
【０００７】
一実施形態は、複数の定期券の定期券ＩＤを記憶するファイルを有する定期券管理サーバと、この定期券管理サーバに接続される定期券発行機とを備え、前記定期券発行機は、この定期券発行機により定期券の購入を申し込まれたとき、この購入を申し込まれた定期券の定期券ＩＤが前記ファイルに記憶されているか否かを問い合わせるＩＤ問合せ手段と、このＩＤ問合せ手段に対して前記申し込まれた定期券の定期券ＩＤが前記ファイルに記憶されていることが確認されたとき、この定期券の定期券情報を求めることなく定期券を発行する定期券発行手段と、を有することを特徴とする定期券発行システムである。
【図面の簡単な説明】
【０００８】
【図１】一実施形態の定期券発行システムの構成を示す図である。
【図２】一実施形態における定期券発行機の構成例を示す図である。
【図３】一実施形態における交通定期券管理サーバの構成例を示す図である。
【図４】一実施形態の定期券発行システムの動作を説明するためのフローチャートを示す図である。
【発明を実施するための形態】
【０００９】
以下、本発明の実施の形態について、図面を用いて説明する。図１に一実施形態の定期券発行システムの概略構成を示す。この定期券発行システム１０は、ネットワーク１１に接続され、交通機関、例えば電車の定期券の情報（継続期間、新規又は継続区間、金額等）を記憶する交通定期券管理サーバ１２と、この交通定期券管理サーバ１２に記憶される交通機関の定期券情報の入力、削除などの処理を、ネットワーク１１を介して行う定期券処理コンピュータ１３と、例えば各駅などに設置され定期券を発行する定期券発行機１４ａ、１４ｂ、１４ｃである。ここでは、定期券発行機を３台示したが、２台又は４台以上であってもよい。
【００１０】
これらの定期券発行機には、例えば定期券情報を問い合わせる図2に示す一括ボタン25が設けられている。そして後述するように、予め定期券利用者雇用会社から定期券の情報を既に登録済の連絡を受けた者（ユーザ）は、これらの定期券発行機のいずれかに行き、この一括ボタン２５を押すことにより、定期券の料金を支払うことなく新規又は継続の定期券に情報を書き換えることができる。
【００１１】
これらの定期券発行機１４ａ、１４ｂ、１４ｃもネットワーク１１に接続され、後述するように、交通定期券管理サーバ１２の管理の下に、発行のために所定の定期券がどれかの定期券発行機に差し入れられると、料金が既に納付されていることを確認してその定期券発行機から新規又は継続定期券を発行する。
【００１２】
定期券発行機１４ａの構成例を図２に示す。他の定期券発行機１４ｂ，１４ｃも同様な構成を有するので定期券発行機１４として示す。この定期券発行機１４は、定期券を挿入し、新しい定期券を発行する定期券挿入発行部２１と、定期券挿入発行部２１に入れられた定期券に必要な金額を計算する必要金額計算部２３と、この必要金額計算部２３で計算された金額を確認する金額確認部２４と、定期券発行を求めるユーザが定期券が登録されていたならば押す、一括ボタン２５と、この一括ボタン２５が押されたとき定期券挿入発行部２１に挿入された定期券のＩＤを読み取り、交通定期券管理サーバ１２に問い合わせる定期券ＩＤ問合せ部２６と、必要金額や種々の案内を表示する表示部２７とを有する。
【００１３】
交通定期券管理サーバ１２の構成例を図３に示す。この交通定期券管理サーバ１２は、別途、料金を受け取って、予め定期券処理コンピュータ１３から送信されてきた継続定期券のＩＤが記憶されている定期券情報ファイル３１と、定期券発行機１４から定期券ＩＤの問合せを受ける定期券ＩＤ問合せ受部３２と、この定期券ＩＤが上記定期券情報ファイル３１に記憶されているかを検索する定期券ＩＤ検索部３３と、定期券ＩＤが見つかったか否かの情報を、問い合せしてきた定期券発行機１４に送信する回答部３４とを有する。
【００１４】
次にこの実施形態の動作を、図４に示すフローチャートに従って説明する。まず、定期券利用者雇用会社は、交通機関運営会社に、利用者の継続される定期券のＩＤを知らせてその定期券情報の登録と料金を支払う。ステップＳ４００において、交通機関運営会社は、料金を支払われた定期券のＩＤを定期券処理コンピュータ１３から入力して、交通定期券管理サーバ１２内の定期券情報ファイル３１に記憶させておく。
【００１５】
ステップＳ４０１では、既に定期券情報を登録した旨の連絡を受け取っているユーザが、例えば、定期券発行機１４ｂに行き、現在使用中であり、継続又は新規を希望する定期券を定期券挿入発行部２１に挿入し、定期券挿入発行部２１の近くにある一括ボタン２５を押す。
【００１６】
次のステップＳ４０２で一括ボタン２５が押されたことを検知すると、ステップＳ４０３では、この定期券発行機１４ｂからその定期券ＩＤを交通定期券管理サーバ１２に問い合わせる。すなわち、図２において、定期券ＩＤ問合せ部２６は定期券挿入発行部２１に挿入された定期券の定期券ＩＤを検知し、一括ボタン２５が押されたとき、先に検知した定期券ＩＤを交通定期券管理サーバ１２に送る。
【００１７】
図３に示す交通定期券管理サーバ１２の定期券ＩＤ問合せ受部３２は、定期券発行機１４ｂから送られてきた定期券ＩＤを定期券ＩＤ検索部３３に送る。定期券ＩＤ検索部３３は、受け取った定期券ＩＤが、定期券情報ファイル３１に、既に登録済の定期券のＩＤとして記憶されているかどうかを検索する（ステップＳ４０４）。
【００１８】
そして、その定期券ＩＤが定期券情報ファイル３１に記憶されている（Ｓ４０５でＹｅｓ）ときには、ステップＳ４０６において該当定期券ＩＤの定期券について登録がある旨を交通定期券管理サーバ１２から定期券発行機１４ｂに回答する。定期券発行機１４ｂでは、定期券ＩＤ問合せ部２６でこの通知を受けて定期券挿入発行部２１から定期券を発行出力する（ステップＳ４０７）。このように、定期券情報の料金を予め支払っている場合には、定期券発行機でその料金を支払うことなく、継続の定期券を書き換え又は新規の定期券を受け取ることができる。
【００１９】
一方、定期券発行機に定期券を挿入したが、一括ボタンを押さなかった場合、図４に示すステップＳ４０２でＮｏとなり、ステップＳ４０８で表示部２７において料金の表示がなされる。定期券の発行に必要な金額は、定期券挿入発行部２１に挿入された定期券に記憶されている情報及び入力される定期券区間などから必要金額計算部２３で計算される。
【００２０】
定期券挿入発行部２１から求められた定期券を発行する（ステップＳ４０７）。
【００２１】
ステップＳ４０５で、問合せを受けた定期券ＩＤが定期券情報ファイル３１に記憶されていないときには、その旨が回答部３４から定期券ＩＤ問合せ部２６に回答され、処理することができない。
【００２２】
以上述べたように、この実施形態によれば、交通機関利用者雇用会社が、交通機関運営会社に予め、定期券情報の通知と定期券の料金をまとめて支払っておくことにより、定期券を受け取る交通機関利用者が、料金を支払うことなく、継続又は新規の定期券を受け取ることが可能となる。
【００２３】
上記実施形態では定期券発行機について説明した。しかし定期券と共に乗車券を発行する兼用装置にも本発明を適用することができる。そして上述の定期券は、定期の区間から外れた場合に、その乗車区間の料金を差し引く機能を有する乗車券機能付きの定期券で有ってもよい。
【００２４】
上記実施形態では、継続定期券の料金を、予め別途支払っている場合には、一括ボタンを押すことによりセンターの交通定期券管理サーバに知らせることにした。しかし、定期券が挿入されたとき、自動的にセンターの交通定期券管理サーバに問い合せるようにしてもよい。このようにすれば一括ボタンを別途設ける必要はない。また、定期券料金の支払いを意味するキーを他のキーと兼用にして、上述の一括ボタンを設けないようにすることも可能である。上記実施形態では、交通定期券管理サーバがネットワークを介して接続されているシステムについて説明した。このネットワークは交通機関の各駅を結ぶ大掛かりなものでも良いし、１つの駅に設置される複数の定期券発行機を結ぶ小さいものでもよい。
【００２５】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１０・・・・定期券発行システム、
１１・・・・ネットワーク、
１２・・・・交通定期券管理サーバ、
１３・・・・定期券処理コンピュータ、
１４ａ、１４ｂ、１４ｃ・・・・定期券発行機、
２１・・・・・定期券挿入発行部、
２３・・・・必要金額計算部、
２４・・・・金額確認部、
２５・・・・一括ボタン、
２６・・・・定期券ＩＤ問合せ部、
２７・・・・表示部、
３１・・・・定期券情報ファイル、
３２・・・・定期券ＩＤ問合せ受部、
３３・・・・定期券ＩＤ検索部、
３４・・・・回答部。
【図１】
2012247917.tif 000003
【図２】
2012247917.tif 000004
【図３】
2012247917.tif 000005
【図４】
2012247917.tif 000006